(57)【要約】【課題】  原稿載置台上に原稿をセットする際の作業性の良好な画像読取装置を提供する。【解決手段】  コンタクトガラス６を支持する枠体７の上面のうち、コンタクトガラス６の左右側方及び手前側の各位置に吸気口８と原稿検知センサ９とを設置し、原稿検知センサ９により、コンタクトガラス６のサイズを超える原稿が原稿載置面上に載置されたことが検知されると、原稿押圧板２の傾斜角度が０度から所定の角度θ（°）までの範囲に設置されたときに、ダクト１２及びファン１３により吸気口８に負圧を発生させ、原稿を原稿載置面側に吸引するようにした。【選択図】      図１
2006276340.tif 000002
【特許請求の範囲】
【請求項１】
原稿が載置される原稿載置面と、装置本体に対して所定部位が回動軸により回動可能に軸支されることにより、前記原稿載置面に対して対接離反可能に構成された原稿押圧板とを備えた画像読取装置において、
原稿載置面に載置された原稿を該原稿載置面側に吸引する吸引手段を備えたことを特徴とする画像読取装置。
【請求項２】
前記原稿載置面上の所定位置において原稿の存在の有無を検知する検知手段と、
前記検知手段により原稿の存在が検知されると、前記吸引手段に吸引動作を行わせる第１の吸引制御手段とを備えることを特徴とする請求項１に記載の画像読取装置。
【請求項３】
前記第１の吸引制御手段は、前記原稿押圧板が前記原稿載置面から所定の距離だけ離間するまで前記吸引手段による吸引動作を行わせ、前記原稿押圧板が前記原稿載置面から所定の距離以上離間しているときには、前記吸引手段による吸引動作を解除させることを特徴とする請求項２に記載の画像読取装置。
【請求項４】
前記吸引手段に吸引動作を行わせる指示を入力するための入力操作手段と、
前記入力操作手段による入力が行われると、前記吸引手段に吸引動作を行わせる第２の吸引制御手段とを備えることを特徴とする請求項１ないし３のいずれかに記載の画像読取装置。
【請求項５】
前記入力操作手段は、当該画像読取装置の下部に設置された押圧可能なフットペダルと、前記フットペダルが押圧されたとき、その旨を示す押圧信号を前記第２の吸引制御手段に出力するスイッチとを有してなり、前記第２の吸引制御手段は、前記スイッチから前記押圧信号が出力されると、前記吸引手段に吸引動作を行わせることを特徴とする請求項４に記載の画像読取装置。
【請求項６】
前記吸引手段は、吸気ダクト、ファン及び前記原稿載置面の所定位置に形成された吸気口を備えてなり、前記ファンの動作により前記吸気ダクトを介して前記吸気口に負圧を生じさせることで、前記原稿載置面上に載置された原稿を該原稿載置面側に吸引することを特徴とする請求項１ないし５のいずれかに記載の画像読取装置。
【請求項７】
前記原稿載置面は、コンタクトガラスと、該コンタクトガラスを支持する枠体とを備えて構成されているものであり、前記吸気口は、前記原稿載置面のうち前記枠体の部位に設置されていることを特徴とする請求項６に記載の画像読取装置。
【発明の詳細な説明】
【技術分野】
【０００１】
本発明は、画像読取装置の技術分野に属し、特に、原稿載置台上に原稿をセットする際の作業性を向上させるための技術に関する。
【背景技術】
【０００２】
例えば複写機は、コンタクトガラスが枠体に支持されて構成される原稿載置台と、原稿載置台上の原稿をコンタクトガラスに押し付けるための原稿押圧板とを有しており、一般的に、コンタクトガラス上に載置された原稿を原稿押圧板で原稿載置台に押付けながら、その原稿の画像をコンタクトガラスを介して光学的に読み取る。
【０００３】
その際、画像の複写を行おうとする原稿が原稿載置台のサイズを超える原稿、特に原稿載置台からはみ出して下方に垂れ下がるほどの大判サイズの原稿である場合には、原稿押圧板により原稿をコンタクトガラスに押し付けるまで、原稿載置台上での原稿の載置状態が不安定となり、原稿の位置ずれや原稿の下方への落下の虞がある。
【０００４】
したがって、操作者は、これを回避するため、一方の手で原稿をコンタクトガラスに押し付けながら他方の手で原稿押圧板を閉じていき、原稿押圧板が原稿載置台に密着する直前で、原稿をコンタクトガラスに押し付けていた手を離すという作業を行うこととなるが、この作業は、非常に面倒であり作業性が良好なものとはいえない。
【０００５】
この問題に対し、下記特許文献１には、原稿載置台の表面と同一平面内において一端部が回転可能に支持された長尺平板状の補助板が原稿載置台の所定位置に取付けられ、大判の原稿をセットするときには、前記補助板をその一端部が装置本体から突出するように回転させる構成や、原稿載置台の表面と同一平面内において平行移動可能に支持された平板状の補助板が原稿載置台に設けられ、大判サイズの原稿をセットするときには、前記補助板をその一端部が装置本体から側方に突出するように平行移動させる構成が開示されている。
【０００６】
また、下記特許文献２には、原稿押圧板のコンタクトガラスと密着し得る側の面に、この面を覆う平板状の押圧部材を設け、該押圧部材全面にその表裏面を貫通する貫通孔を複数形成するとともに、原稿押圧板及び押圧部材との間に形成された空間と前記貫通孔とを介して空気を吸引する吸引ポンプを備え、該吸引ポンプにより原稿押圧板側に原稿を吸引する構成が開示されている。
【特許文献１】特開平６−２３０６２０号公報
【特許文献２】特開平５−３２３４７４号公報
【発明の開示】
【発明が解決しようとする課題】
【０００７】
しかしながら、前記特許文献１の技術にあっては、ある程度の大きさの原稿については、原稿の位置ずれや原稿が下方に落下する可能性は低下するものの、非常に大きな原稿については依然として原稿の位置ずれ等が発生する可能性がある。また、原稿がカールした大判サイズの原稿であるときには、前述のような手で原稿を固定するという面倒な作業が必要となり、作業性の点についても改善の余地があると考えられる。
【０００８】
また、前記特許文献２の技術は、原稿押圧板に原稿を吸引する機構を備えたものであり、原稿載置台側に原稿を吸引する機構を設けた構成ついては開示がない。
【０００９】
本発明は、上記事情に鑑みてなされたもので、原稿載置台上に原稿をセットする際の作業性の良好な画像読取装置を提供することを目的とする。
【課題を解決するための手段】
【００１０】
請求項１に記載の発明は、原稿が載置される原稿載置面と、装置本体に対して所定部位が回動軸により回動可能に軸支されることにより、前記原稿載置面に対して対接離反可能に構成された原稿押圧板とを備えた画像読取装置において、原稿載置面に載置された原稿を該原稿載置面側に吸引する吸引手段を備えたことを特徴とするものである。
【００１１】
請求項２に記載の発明は、請求項１に記載の画像読取装置において、前記原稿載置面上の所定位置において原稿の存在の有無を検知する検知手段と、前記検知手段により原稿の存在が検知されると、前記吸引手段に吸引動作を行わせる第１の吸引制御手段とを備えることを特徴とするものである。
【００１２】
請求項３に記載の発明は、請求項２に記載の画像読取装置において、前記第１の吸引制御手段は、前記原稿押圧板が前記原稿載置面から所定の距離だけ離間するまで、前記吸引手段による吸引動作を行わせ、前記原稿押圧板が前記原稿載置面から所定の距離以上離間しているときには、前記吸引手段による吸引動作を解除させることを特徴とするものである。
【００１３】
請求項４に記載の発明は、請求項１ないし３のいずれかに記載の画像読取装置において、前記吸引手段に吸引動作を行わせる指示を入力するための入力操作手段と、前記入力操作手段による入力が行われると、前記吸引手段に吸引動作を行わせる第２の吸引制御手段とを備えることを特徴とするものである。
【００１４】
請求項５に記載の発明は、請求項４に記載の画像読取装置において、前記入力操作手段は、当該画像読取装置の下部に設置された押圧可能なフットペダルと、前記フットペダルが押圧されたとき、その旨を示す押圧信号を前記第２の吸引制御手段に出力するスイッチとを有してなり、前記第２の吸引制御手段は、前記スイッチから前記押圧信号が出力されると、前記吸引手段に吸引動作を行わせることを特徴とするものである。
【００１５】
請求項６に記載の発明は、請求項１ないし５のいずれかに記載の画像読取装置において、前記吸引手段は、吸気ダクト、ファン及び前記原稿載置面の所定位置に形成された吸気口を備えてなり、前記ファンの動作により前記吸気ダクトを介して前記吸気口に負圧を生じさせることで、前記原稿載置面上に載置された原稿を該原稿載置面側に吸引することを特徴とするものである。
【００１６】
請求項７に記載の発明は、請求項６に記載の画像読取装置において、前記原稿載置面は、コンタクトガラスと、該コンタクトガラスを支持する枠体とを備えて構成されており、前記吸気口は、前記原稿載置面のうち前記枠体の部位に設置されていることを特徴とするものである。
【発明の効果】
【００１７】
請求項１に記載の発明によれば、原稿載置面に載置された原稿を原稿載置面側に吸引する吸引手段を備えたので、大判サイズの原稿であっても、手で原稿を原稿載置面に押し付ける作業を行うことなく、原稿載置面上に原稿を固定することができる。これにより、原稿載置台上に原稿をセットする際の作業性を良好にすることができる。
【００１８】
請求項２に記載の発明によれば、前記原稿載置面上の所定位置において原稿の存在が検知されると、前記吸引手段により吸引動作を行われるようにしたから、自動的に吸引動作を行う構成を実現することができ、原稿載置台上に原稿をセットする際の作業性をより一層良好にすることができる。
【００１９】
請求項３に記載の発明によれば、原稿押圧板が原稿載置面から所定の距離だけ離間するまで吸引手段による吸引動作を行わせ、前記原稿押圧板が前記原稿載置面から所定の距離以上離間しているときには、その吸引動作を解除させるようにしたので、原稿押圧板を原稿載置面から離反させるときに発生し得る原稿の浮き上がりを防止することができるとともに、原稿押圧板が前記原稿載置面から所定の距離以上離間させたときには、原稿を容易に取り出すことができる。
【００２０】
請求項４に記載の発明によれば、吸引手段に吸引動作を行わせる指示を入力するための入力操作手段と、前記入力操作手段による入力が行われると、前記吸引手段に吸引動作を行わせる第２の吸引制御手段とを備えたので、操作者は、吸引動作の実行タイミングを任意に決定することができる。
【００２１】
請求項５に記載の発明によれば、前記入力操作手段は、当該画像読取装置の下部に設置された押圧可能なフットペダルと、前記フットペダルが押圧されたとき、その旨を示す押圧信号を前記第２の吸引制御手段に出力するスイッチとを有して構成したから、比較的簡単な構成で、吸引手段による吸引動作の実行タイミングを任意に決定する構成を実現することができるとともに、無理のない姿勢で吸引動作の実行タイミングを指示することができる。
【００２２】
請求項６に記載の発明によれば、前記吸引手段を、吸気ダクト、ファン及び前記原稿載置面の所定位置に形成された吸気口を備えて構成し、前記ファンの動作により前記吸気ダクトを介して前記吸気口に負圧を生じさせることで、前記原稿載置面上に載置された原稿を該原稿載置面側に吸引する構成としたので、比較的簡単な構成で、原稿載置面上に載置された原稿を該原稿載置面側に吸引する構成を実現することができる。
【００２３】
請求項７に記載の発明によれば、原稿載置面を、コンタクトガラスと該コンタクトガラスを支持する枠体とを備えて構成し、前記吸気口を、前記原稿載置面のうち前記枠体の部位に設置したので、原稿載置面を構成する載置台とは別に吸気口を設ける場合に比して、画像読取装置の大型化を回避することができる。
【発明を実施するための最良の形態】
【００２４】
以下、本発明に係る画像処理装置の一例である複写機の実施形態を図面に基づいて説明する。図１は、第１の実施形態に係る複写機の外部構成を示す外観図、図２は、本実施形態に係る複写機の電気的構成を示すブロック図である。
【００２５】
複写機１は、後方の部位が回動自在に軸支された原稿押圧板２を上面に備えた略直方体形状を有する筺体であり、原稿画像を読み取る原稿読取部３と、原稿読取部３により読み取った原稿画像を記録紙に形成する画像形成部４と、複写機１の複写動作に関して所望の動作を行わせるべく複写機１に対して指示を入力するための操作パネル５とを有する。
【００２６】
原稿読取部３は、前記原稿押圧板２と、原稿を載置するコンタクトガラス６と、コンタクトガラス６と対向する位置に、該コンタクトガラス６に沿って移動可能に配設された撮像素子を有する図略の光学系ユニットとを備えている。
【００２７】
コンタクトガラス６は所定幅を有する枠体７に支持されており、コンタクトガラス６の表面（上面）と前記枠体７上面とが略面一とされ、コンタクトガラス６の上面と前記枠体７上面とで構成される面に原稿が載置される。以下、この面を原稿載置面という。
【００２８】
枠体７の上面のうち、コンタクトガラス６の左右側方及び手前側の各位置に吸気口８と原稿検知センサ９とがそれぞれ配設されている。吸気口８は、外気を吸引可能な開口であり、後述するように、原稿載置面上に載置された原稿を吸引するために形成されたものである。
【００２９】
原稿検知センサ９は、本実施形態では前記吸気口８に対応して設置されており、原稿載置面上の原稿の有無を検知するものである。原稿検知センサ９は、一対の投受光器を備えてなり、常時光を出力する投光器から出力された光が、原稿載置面上に原稿が載置されると原稿により反射され、この反射光を受光器により受光する。このとき、原稿検知センサ９（受光器）は、反射光を受光した旨のオン信号を後述の制御部１８に出力する。
【００３０】
なお、原稿載置面に原稿が載置されている場合と、原稿押圧板２が原稿載置面に密着して閉じられている場合とを区別するために、原稿押圧板２における原稿検知センサ９と対向する位置に、該原稿検知センサ９の投光器から出力される光を吸収する部材や、前記投光器からの光を前記受光器とは異なる方向に向けて反射する部材を設置するとよい。原稿検知センサ９は、特許請求の範囲における検知手段の一例である。
【００３１】
枠体７上面の適所には、原稿押圧板検知センサ１０が配置されている。原稿押圧板検知センサ１０は、原稿載置面から出没可能なボタン２１と、該ボタン２１に連結された図略のオンオフスイッチとを有して構成されている。図３は、図１の矢印Ａの方向から見た側面図である。図３に示すように、ボタン２１は、原稿載置面に対する原稿押圧板２の傾斜角度が０度から所定の角度θ（°）までの範囲においては、原稿押圧板２により押し下げられ、前記オンオフスイッチをオンし、原稿載置面に対する原稿押圧板２の傾斜角度が前記所定の角度θ（°）を超えると、原稿押圧板２によるボタン２１の押圧が解除され、前記オンオフスイッチをオフするように構成されている。原稿押圧板検知センサ１０は、原稿押圧板２の姿勢に応じた信号（オンオフスイッチのオン信号又はオフ信号）を後述の制御部１８に出力する。
【００３２】
画像形成部４は、原稿読取部３で読み取って得た画像データに基づいて記録紙に画像を形成するものであり、詳細には図示しないが、感光体ドラム、感光体ドラムの周面に対向して配設された帯電部、帯電部の下流側であって感光体ドラムの周面に対向して配設された露光部、露光部の下流側であって感光体ドラムの周面に対向して配設された現像部、現像部の下流側であって感光体ドラムの周面に対向して配設されたクリーニング部等を備えている。
【００３３】
操作パネル５は、図示していなが、液晶表示部、テンキー、複写の開始を指示するためのスタートボタン及び複写機１に搭載された各種機能の実行を指示するための機能ボタン等を有する。また、同じく図示していないが、複写機１は、画像形成部４に供給するための記録紙を収納する給紙カセット、画像形成部４で画像が形成された記録紙が排出される記録紙排出部を有している。
【００３４】
以上の構成に加えて、本実施形態の複写機１は、装置本体１Ａ内にダクト１２とファン１３とを備えてなる原稿吸引機構１１が備えられている。ダクト１２は、前記各吸気口８と装置本体１Ａの適所に形成された図略の排気口とを連通するように構成されており、ダクト１２内の所定位置に設置されたファン１３の上流側の吸気ダクト１４と、前記ファン１３の下流側の排気ダクト１５とを有してなる。吸気ダクト１４は、前記各吸気口８に対応して備えられていて各吸気ダクト１４が所定の位置で連通する構成を有し、ファン１３は、この連通した位置に設置されている。
【００３５】
原稿吸引機構１１においては、ファン１３の作動により吸気口８から空気を吸引し、排気ダクト１５及び排気口から空気を排出することで、吸気口８に負圧が発生し、原稿載置面上に原稿を吸引して固定する。原稿吸引機構１１は、特許請求の範囲における吸引手段の一例である。
【００３６】
また、本実施形態の複写機１は、原稿吸引機構１１の動作タイミングを指示する入力を行うための吸引指示操作部１６を備えている。吸引指示操作部１６は、筺体前面の下部適所に取付けられたフットペダル１７と、該フットペダル１７の姿勢に応じてオンオフする図略のスイッチとを有して構成され、操作者によりフットペダル１７が足で踏み込まれる（押圧される）ことにより、前記スイッチがオンし、該スイッチからフットペダル１７が足で踏み込まれた旨のオン信号が制御部１８に出力される。吸引指示操作部１６は、特許請求の範囲における入力操作手段の一例である。
【００３７】
制御部１８は、演算処理を実行するＣＰＵ、処理プログラムやデータなどを記憶するＲＯＭ、及び、データを一時的に記憶するＲＡＭを備えたマイクロコンピュータなどで構成され、操作パネル５で設定された記録紙サイズ、倍率、濃度、複写部数などの画像形成条件に基づいて原稿読取部３や画像形成部４における各動作を制御するものである。
【００３８】
また、制御部１８は、原稿検知センサ９、原稿押圧板検知センサ１０、原稿吸引機構１１及び吸引指示操作部１６を関連付けて動作させるべく、機能的に、判断部１９と、吸引制御部２０とを有する。判断部１９及び吸引制御部２０は、特許請求の範囲における第１、第２の吸引制御手段を構成するものである。
【００３９】
判断部１９は、原稿検知センサ９、原稿押圧板検知センサ１０及び吸引指示操作部１６からの信号に基づき、原稿吸引機構１１による吸引動作の要否を判断するものである。すなわち、判断部１９は、原稿検知センサ９から原稿を検知した旨のオン信号が出力され、且つ、原稿押圧板検知センサ１０から原稿押圧板２の傾斜角度が原稿載置面に対して０度から所定の角度θ（°）までの範囲にあることを示す旨のオン信号が出力された場合、及び吸引指示操作部１６からフットペダル１７が踏み込まれた旨のオン信号が出力された場合に、原稿吸引機構１１による吸引動作が必要であると判断する。
【００４０】
吸引制御部２０は、判断部１９により原稿吸引機構１１による吸引動作が必要であると判断されたとき、原稿吸引機構１１のファン１３を動作させるものである。
【００４１】
複写機１の制御部１８による吸引処理を説明する。図４は、この吸引処理のうち、吸引のタイミングを自動的に設定する処理を示すフローチャートである。
【００４２】
図４に示すように、制御部１８は、まず、原稿押圧板検知センサ１０の検知信号に基づき、原稿押圧板２が第１の状態であるか否かを判断する（ステップ♯１）。この第１の状態は、原稿押圧板２の傾斜角度が原稿載置面に対して０度から所定の角度θ（°）までの範囲にある状態をいい、以下、原稿押圧板２の傾斜角度が原稿載置面に対して前記所定の角度θ（°）を超える状態を第２の状態というものとする。
【００４３】
その結果、制御部１８は、原稿押圧板２が第１の状態ではない（第２の状態である）場合には（ステップ♯１でＮＯ）、待機する一方、原稿押圧板２が第１の状態である場合には（ステップ♯１でＹＥＳ）、原稿検知センサ９の検知信号に基づき、原稿載置面上に原稿が載置されているか否かを判断する（ステップ♯２）。
【００４４】
制御部１８は、原稿載置面上に原稿が載置されていない場合には（ステップ♯２でＮＯ）、待機する一方、原稿載置面上に原稿が載置されている場合には（ステップ♯２でＹＥＳ）、ファン１３を動作させて、吸気口８に負圧を生じさせる（ステップ♯３）。これにより、原稿載置面上に載置された原稿が前記負圧により原稿載置面側に吸引され、該原稿載置面上に固定される。
【００４５】
次に、制御部１８は、複写動作の指示（コピー指示）が行われたか否かの判定を行い（ステップ♯４）、複写動作の指示が行われていない場合には（ステップ♯４でＮＯ）、ステップ♯１の処理に戻る一方、複写動作の指示が行われると（ステップ♯４でＹＥＳ）、複写動作を実行した後、原稿押圧板検知センサ１０の検知信号に基づいて原稿押圧板２が第２の状態であるか否かを判断する（ステップ♯５）。
【００４６】
その結果、制御部１８は、原稿押圧板２が第２の状態ではない（第１の状態である）場合には（ステップ♯５でＮＯ）、引き続きファン１３を動作させる一方、原稿押圧板２が第２の状態となった場合には（ステップ♯５でＹＥＳ）、ファン１３の動作を停止させる（ステップ♯６）。
【００４７】
これにより、原稿載置面から原稿を取り出すべく原稿押圧板２を開放する（第１の状態から第２の状態にする）ときに、この原稿押圧板２の移動に伴って原稿が原稿載置面から浮き上がり、下方に原稿が落下したり、原稿を取り出し難くなったりするのを防止することができる。
【００４８】
次に、複写機１の制御部１８による吸引処理のうち、吸引のタイミングを手動で設定する処理を説明する。図５は、この処理を示すフローチャートである。
【００４９】
制御部１８は、フットペダル１７が押圧されると（ステップ♯１１でＹＥＳ）、ファン１３を動作させて吸気口８に負圧を生じさせる（ステップ♯１２）。その後、制御部１８は、フットペダル１７の押圧が解除されたか否かを判定し（ステップ♯１３）、フットペダル１７の押圧が解除されていない場合には（ステップ♯１３でＮＯ）、ステップ♯１２の処理に戻って引き続きファン１３を動作させる一方、フットペダル１７の押圧が解除されると（ステップ♯１３でＹＥＳ）、ファン１３の動作を停止させる（ステップ♯１４）。
【００５０】
以上のように、コンタクトガラス６のサイズを超える原稿が原稿載置面上に載置された場合には、原稿押圧板２を第２の状態から第１の状態にしたときに、原稿を原稿載置面側に自動的に吸引するようにしたので、原稿押圧板２を閉じる際に、原稿を手で原稿載置面上に押し付ける作業が不要となる。これにより、原稿載置台上に原稿をセットする際の作業性を良好なものとすることができる。原稿が原稿載置面上からはみ出して下方に垂れ下がる程の大きなサイズの原稿の場合に、特に有効なものとなる。
【００５１】
また、原稿の複写を終えて原稿載置面上から原稿を取り出す場合に、原稿押圧板２が第１の姿勢から第２の姿勢にされるまでは、原稿の吸引動作を継続するようにしたので、原稿押圧板２の移動に伴って原稿が原稿載置面から浮き上がり、下方に原稿が落下したり、原稿を取り出し難くなったりするのを防止することができる。そして、原稿押圧板２が第１の姿勢から第２の姿勢にされると、原稿の吸引動作を解除（停止）するようにしたので、原稿を容易に取り出すことができる。
【００５２】
さらに、原稿吸引機構１１の動作タイミングを指示する入力を行うための吸引指示操作部１６を設けたので、原稿載置面側への原稿の吸引動作を所望のタイミングで行わせることができ、原稿載置台上に原稿をセットする際の作業性をより一層良好なものとすることができる。また、原稿吸引機構１１をフットペダル１７とスイッチとを有して構成したので、比較的簡単な構成で、原稿の吸引動作の実行タイミングを任意に決定する構成を実現することができる。
【００５３】
特に、原稿吸引機構１１の動作タイミングを指示する入力を行う部材として、足で踏み込むように構成されたフットペダル１７としたので、無理のない姿勢で吸引動作の実行タイミングを指示することができる。また、原稿吸引機構１１を、吸気ダクト１２及びファン１３で構成したので、比較的簡単な構成で、原稿載置面上に載置された原稿を該原稿載置面側に吸引する構成を実現することができる。
【００５４】
また、吸気口８を、コンタクトガラス６を支持する枠体７に設置したので、枠体７とは別に吸気口を備えた部材を設ける構成に比して、複写機１の大型化を回避又は抑制することができる。
【００５５】
なお、本発明は、前記実施形態に加えて、あるいは前記実施形態に代えて次の形態［１］〜［４］に説明する変形形態も採用可能である。
【００５６】
［１］フットペダル１７に代えて、他の操作部材でもよい。例えば操作パネルや該操作パネルの近傍に、フットペダルと略同等の機能を有するボタンを配置するようにしてもよい。
【００５７】
［２］前記実施形態では、フットペダル１７が踏み込まれると、ファン１３の動作をオンするようにしたが、フットペダル１７が踏み込まれ、且つ原稿押圧板２が第２の状態から第１の状態にされたときにファン１３の動作をオンするようにしてもよい。また、前記実施形態では、フットペダル１７が踏み込まれると、一定の吸引力で原稿を吸引するようにしたが、これに限らず、フットペダル１７の踏み込み量に応じて吸引力の大きさを調整可能に構成してもよい。
【００５８】
［３］前記第１の実施形態では、吸気口８をコンタクトガラス６の左右側方及び手前側の各位置に設置したが、この吸気口８の設置数及び設置位置は、適宜変更可能である。また、吸気口８に負圧を発生させる機器として、前述のファン１３に限らず、ポンプ等でもよい。また、吸気口８を複数設置した場合、吸気口８ごとに負圧を発生させる構成としてもよい。さらにこの場合において、吸気口８と原稿検知センサ９とを対応させて設置したときには、原稿のうちコンタクトガラス６からはみ出している部分をその部分に対応する原稿検知センサ９で検知し、その原稿検知センサ９に対応する吸気口８にのみ吸引力を発生させる構成としてもよい。
【００５９】
［４］本発明は、複写機に限らず、スキャナなど原稿の画像を読み取る機構を備えた装置全般に適用可能である。
【図面の簡単な説明】
【００６０】
【図１】本発明に係る画像読取装置の一例である複写機の外部構成を示す外観図である。
【図２】複写機の電気的構成を示すブロック図である。
【図３】図１の矢印Ａの方向から見た側面図である。
【図４】複写機の制御部による吸引処理のうち、吸引のタイミングを自動で設定する処理を示すフローチャートである。
【図５】複写機の制御部による吸引処理のうち、吸引のタイミングを手動で設定する処理を示すフローチャートである。
【符号の説明】
【００６１】
１    複写機
２    原稿押圧板
３    原稿読取部
６    コンタクトガラス
７    枠体
８    吸気口
９    原稿検知センサ
１０  原稿押圧板検知センサ
１１  原稿吸引機構
１２  ダクト
１３  ファン
１６  吸引指示操作部
１７  フットペダル
１８  制御部
１９  判断部
２０  吸引制御部
【図１】
2006276340.tif 000003
【図２】
2006276340.tif 000004
【図３】
2006276340.tif 000005
【図４】
2006276340.tif 000006
【図５】
2006276340.tif 000007